【事件の表示】
　特願２０１５−５３３１６０「ディスプレイ一体型カメラアレイ」拒絶査定不服審判事件〔平成２６年　３月２７日国際公開、ＷＯ２０１４／０４７２０７、平成２７年１０月　５日国内公表、特表２０１５−５２９３７２、請求項の数（１５）〕について、次のとおり審決する。
【結　論】
　原査定を取り消す。
　本願の発明は、特許すべきものとする。
【理　由】
第１　手続の経緯
　本願は、平成２５年９月１８日（パリ条約による優先権主張外国庁受理２０１２年９月２１日、米国）を国際出願日とする出願であって、平成２８年５月１３日付けで拒絶理由通知がされ、同年８月１６日付けで手続補正がされ、同年１２月２７日付けで拒絶査定（原査定）がされ、これに対し、平成２９年５月２日に拒絶査定不服審判の請求がされると同時に、手続補正がされたものである。
第２　原査定の概要
　原査定（平成２８年１２月２７日付け拒絶査定）の概要は次のとおりである。
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　記
・請求項　１−５，８−１３
・引用文献等　１−２，６−７
・請求項　６
・引用文献等　１−４，６−７
・請求項　７
・引用文献等　１−７
・請求項　１４
・引用文献等　１−２，５−７
・請求項　１５
・引用文献等　１−４，６−７
　　　　　　　　　　　　　＜引用文献等一覧＞
１．米国特許出願公開第２０１２／０１３３９４５号明細書
２．特開２００８−２２４９３５号公報
３．特開２００５−１０８２１１号公報
４．国際公開第２０１０／０３８８２２号
５．特開２０１１−８６２２０号公報
６．特開２００８−５９２８３号公報
７．国際公開第２０１２／１２４７３０号
第３　本願発明
　本願請求項１−１５に係る発明（以下、それぞれ「本願発明１」−「本願発明１５」という。）は、平成２９年５月２日付けの手続補正書で補正された特許請求の範囲の請求項１−１５に記載された事項により特定される発明であり、以下のとおりの発明である。
「【請求項１】
　コンピューティングデバイスにおいて、
　プロセッサと、
　コンテンツを表示するディスプレイ画面と、
　前記ディスプレイ画面を通して光が物体から反射されるようにする照明の源を提供するように動作可能な複数の照明源と、
　前記物体によって反射され前記ディスプレイ画面を通過する光を検出するように各々が構成されている複数の検出器を含む検出器アレイと、
　命令を含むメモリとを具備し、
　前記命令は、前記プロセッサによって実行されるときに、前記コンピューティングデバイスに、
　異なる特定の時間に異なる方向から光を放射するように、前記物体の場所の決定のために用いられる前記複数の照明源のそれぞれを順に起動させ、
　前記コンピューティングデバイスに関する前記物体の位置を決定するために、前記検出器アレイによって検出される前記光に対するデータを分析させ、
　前記特定の時間の各々に対して前記検出器アレイによって取り込まれる輝度データであって、前記複数の照明源のうちの少なくとも１つによって放射され前記物体によって反射された光に対する輝度データを含む前記輝度データを収集させ、
　前記輝度データは、他の部分の輝度レベルより高い輝度レベルを有する部分を含み、前記特定の時間の各々に対する前記輝度データを含む統合データセットであって、前記検出器アレイ中の検出器の各々に対する少なくとも統合輝度情報を含む前記統合データセットを発生させ、
　前記輝度データの前記部分と、前記輝度データの前記他の部分のうちの少なくとも１つとに少なくとも基づいて、前記物体の形状または深度の情報を決定させ、
　前記物体の形状または深度の情報に少なくとも基づいて、前記コンピューティングデバイスに関する前記物体の配向を決定させるコンピューティングデバイス。
　　【請求項２】
　前記検出器は、基板上で少なくとも所定の距離によって分離されるフォトダイオードであり、
　前記基板は、前記フォトダイオードの各々によって検出される値を読み取るように動作可能な回路に前記フォトダイオードを接続するためのラインを含む請求項１記載のコンピューティングデバイス。
　　【請求項３】
　前記複数の照明源は、前記ディスプレイ画面を通して赤外線を放射するように構成されている少なくとも１つの赤外線発光ダイオードを含み、
　前記検出器は、前記物体によって反射され前記ディスプレイ画面を通して戻る前記赤外線の少なくとも一部分を検出することが可能である請求項１記載のコンピューティングデバイス。
　　【請求項４】
　前記複数の照明源は、前記ディスプレイ画面に対するバックライトを含む請求項１記載のコンピューティングデバイス。
　　【請求項５】
　前記ディスプレイ画面と前記複数の照明源および前記検出器アレイを支持する基板との間に位置付けられている赤外線透過要素をさらに具備し、
　前記赤外線透過要素は、可視光線が前記検出器アレイによって検出されることを防ぐ請求項１記載のコンピューティングデバイス。
　　【請求項６】
　前記ディスプレイ画面からある距離を置いて前記コンピューティングデバイス上に位置付けられている少なくとも１つのカメラをさらに具備し、
　前記少なくとも１つのカメラは、前記物体が前記少なくとも１つのカメラの視野内にあるときに、前記物体の場所または前記配向のうちの少なくとも１つを決定するために前記プロセッサによって分析することができる画像を取り込むように構成されており、
　前記検出器アレイは、前記物体が前記少なくとも１つのカメラの視野外にあるときに、前記物体の前記場所または前記配向のうちの少なくとも１つを決定するために分析することができる画像データを取り込むように構成されている請求項１記載のコンピューティングデバイス。
　　【請求項７】
　前記命令は、実行されるときに、さらに前記検出器アレイに、前記ディスプレイ画面の順次のアクティブ期間の合間の光を検出させる請求項１記載のコンピューティングデバイス。
　　【請求項８】
　アクティブレイヤは、液晶材料を含み、
　前記液晶材料は、前記ディスプレイ画面上の光入射の少なくとも一部分が前記ディスプレイ画面を通過することができるように活性化されるように構成されている請求項１記載のコンピューティングデバイス。
　　【請求項９】
　前記命令は、実行されるときに、さらに前記コンピューティングデバイスに、前記物体を経時的に追跡させ、前記物体によって実行されるモーションまたはジェスチャのうちの少なくとも１つを前記コンピューティングデバイスが決定することができるようにする請求項１記載のコンピューティングデバイス。
　　【請求項１０】
　前記物体は、ユーザの指または手、あるいは、前記ユーザによって保持される物体、のうちの少なくとも１つを含む請求項１記載のコンピューティングデバイス。
　　【請求項１１】
　前記複数の照明源は、前記検出器アレイと共通の基板上にあり、
　前記複数の照明源は、前記共通の基板の隅または端のうちの少なくとも１つに近接して位置付けられている請求項１記載のコンピューティングデバイス。
　　【請求項１２】
　コンピュータにより実現される方法において、
　物体の場所の決定のために用いられる少なくとも２つの放射体のそれぞれを順に起動して、異なる特定の時間に異なる方向から光を放射させ、前記放射体は、コンピューティングデバイスのディスプレイ画面を通して前記光を放射するように構成されていることと、
　前記特定の時間の各々に対して、検出器アレイによって取り込まれる輝度データを収集し、前記輝度データは、前記放射体のうちの少なくとも１つによって放射され前記コンピューティングデバイスの少なくとも検出範囲内で物体によって反射された光に対応し、前記物体によって反射された光は、前記検出器アレイによって検出される前に前記ディスプレイ画面を通して戻ることと、
　前記輝度データは、他の部分の輝度レベルより高い輝度レベルを有する部分を含み、前記特定の時間の各々に対する前記輝度データを含む統合データセットであって、前記検出器アレイ中の各検出器に対する少なくとも統合輝度データを含む前記統合データセットを発生させることと、
　前記輝度データの前記部分と、前記輝度データの前記他の部分のうちの少なくとも１つとに少なくとも基づいて、前記物体の形状または深度の情報を決定することと、
　前記物体の形状または深度の情報に少なくとも基づいて、前記コンピューティングデバイスに関する前記物体の配向を決定することとを含むコンピュータにより実現される方法。
　　【請求項１３】
　前記物体を経時的に追跡することをさらに含み、前記物体によって実行されるモーションまたはジェスチャのうちの少なくとも１つを前記コンピューティングデバイスが決定することができるようにする請求項１２記載のコンピュータにより実現される方法。
　　【請求項１４】
　前記放射体は赤外線を放射し、
　前記検出器アレイの検出器は、前記放射体によって放射された前記赤外線の反射された部分を検出し、
　前記赤外線は、前記ディスプレイ画面の操作の間に検出することができる請求項１２記載のコンピュータにより実現される方法。
　　【請求項１５】
　前記コンピューティングデバイスは、前記ディスプレイ画面からある距離を置いて位置付けられている少なくとも１つのカメラを具備し、
　前記少なくとも１つのカメラは、前記物体が前記少なくとも１つのカメラの視野内にあるときに、前記物体の場所または前記配向のうちの少なくとも１つを決定するために分析することができる画像を取り込むように構成されており、
　前記検出器アレイは、前記物体が前記少なくとも１つのカメラの視野外にあり、かつ前記検出範囲内にあるときに、前記物体の前記場所または前記配向のうちの少なくとも１つを決定するために分析することができる画像データを取り込むように構成されている請求項１２記載のコンピュータにより実現される方法。」
第４　引用文献、引用発明等
１．引用文献１について
　原査定の拒絶の理由に引用された引用文献１には、図面とともに以下の事項が記載されている。
ａ）「[0040] FIG. 1  is the schematic sectional view of the interactive display device according to the first embodiment of the present invention. As shown in  FIG. 1 , 
the interactive display device of this embodiment comprises the housing  101 , the user interface surface  102  coupled with the housing  101 , the display panel  105  disposed under the user interface surface  102 , the area light detector  106  disposed under the display panel  105  and configured to detect the invisible light reflected by the object which is on or adjacent to the user interface surface  102 , a plane light guide plate  103  disposed under the area light detector  106 , and an invisible light source  104  disposed at the side of the plane light guide plate  103
In addition, a power supply  110  and a computer system (PC)  111  are disposed inside the housing  101
The invisible light source  104  can be a tubular infrared light source or an infrared point light source
The area light detector  106  is a photosensitive layer which may comprise phototransistor arrays
The lower surface of the photosensitive layer can transmit the infrared light and the upper surface thereof can receive the infrared light
The astigmatic plane (scattering plane) of the plane light guide plate  103  faces towards the user interface surface  102
[0041] 
The infrared light emitted by the invisible light source  104 , such as the infrared light source, is reflected and refracted by the plane light guide plate  103 , and reaches the user interface surface  102
When touching or approaching the user interface surface  102 , a touch object  107  can reflect the infrared rays  108 , and the reflected infrared rays  109  reflected by the touch object  107  are received by the area light detector  106  such as the photosensitive layer
The light signals received by the photosensitive layer are provided to the PC system  111  connected to the photosensitive layer
The position of the touch object  107  can be obtained after analysis and processing, and the obtained position information of the touch object  107  is then transmitted to related devices
[0042] The interactive display device of this embodiment replaces the infrared scanning light source in the existing interactive display devices with the plane light guide plate  103  and the invisible light source  104  disposed at the side of the plane light guide plate  103 , thereby significantly reducing the internal space of the interactive display device, and thus the interactive display device has smaller size and better appearance, so it is easy to be transported and more competitive.」（下線は当審で付与。以下、同様。）（当審訳：[0040]  図１は、本発明の第１実施態様に基づく対話型ディスプレイ装置を示す概略断面図である。図１に示すように、この実施態様の
対話型ディスプレイ装置は、ハウジング１０１と、ハウジング１０１と結合されたユーザーインターフェイス表面１０２と、ユーザーインターフェイス表面１０２の下側に配置されたディスプレイ・パネル１０５と、ユーザーインターフェイス表面１０２上にあるか又は表面に隣接する物体によって反射させられる不可視光を検出するように形成された、ディスプレイ・パネル１０５の下側に配置されたエリア光検出器１０６と、エリア光検出器１０６の下側に配置された平面状導光板１０３と、平面状導光板１０３の側方に配置された不可視光源１０４とを含
加えて、電源１１０及びコンピュータ・システム（ＰＣ）１１１もハウジング１０１内部に配置されて
不可視光源１０４は赤外線管状光源又は赤外線点光源
エリア光検出器１０６は感光性層であり、感光性層はフォトトランジスタ・アレイ
感光性層の下面は、赤外線を透過させることができ、そしてその上面は赤外線を受容することができ
平面状導光板１０３の非点収差面（散乱面）は、ユーザーインターフェイス表面１０２に向いている
[0041]  
不可視光源１０４、例えば赤外線源によって発せられた赤外線は、平面状導光板１０３によって反射させられ屈折させられ、そしてユーザーインターフェイス表面１０２に達
ユーザーインターフェイス表面１０２に接触又は接近すると、接触物体１０７は、赤外線１０８を反射させ
そして接触物体１０７によって反射させられた反射赤外線１０９は、エリア光検出器１０６、例えば感光性層によって受容され
感光性層によって受容された光信号は、感光性層に接続されたＰＣシステム１１１に提供され
接触物体１０７の位置は分析及び処理の後に得ることができ、そして接触物体１０７の得られた位置情報は、次いで関連装置に伝送される
[0042]  この実施態様の対話型ディスプレイ装置は、現存の対話型ディスプレイ装置内の赤外走査線源を、平面状導光板１０３及び平面状導光板１０３の側方に配置された不可視光源１０４で置き換え、これにより対話型ディスプレイ装置の内部空間を著しく低減し、ひいてはこの対話型ディスプレイ装置はサイズが小さくなって、また外観が良くなり、従って搬送しやすく、そしてより高い競争力を持つようになる。）
　上記下線部及び関連箇所の記載によれば、引用文献１には、対話型ディスプレイ装置として、以下の発明（以下、「引用発明」という。）が記載されている。
　「対話型ディスプレイ装置は、ハウジング１０１と、ハウジング１０１と結合されたユーザーインターフェイス表面１０２と、ユーザーインターフェイス表面１０２の下側に配置されたディスプレイ・パネル１０５と、ユーザーインターフェイス表面１０２上にあるか又は表面に隣接する物体によって反射させられる不可視光を検出するように形成された、ディスプレイ・パネル１０５の下側に配置されたエリア光検出器１０６と、エリア光検出器１０６の下側に配置された平面状導光板１０３と、平面状導光板１０３の側方に配置された不可視光源１０４とを含み、
　加えて、電源１１０及びコンピュータ・システム（ＰＣ）１１１もハウジング１０１内部に配置されており、
　不可視光源１０４は赤外線管状光源又は赤外線点光源であり、
　エリア光検出器１０６は感光性層であり、感光性層はフォトトランジスタ・アレイで、
　感光性層の下面は、赤外線を透過させることができ、そしてその上面は赤外線を受容することができ、
　平面状導光板１０３の非点収差面（散乱面）は、ユーザーインターフェイス表面１０２に向いており、
　不可視光源１０４、例えば赤外線源によって発せられた赤外線は、平面状導光板１０３によって反射させられ屈折させられ、そしてユーザーインターフェイス表面１０２に達し、
　ユーザーインターフェイス表面１０２に接触又は接近すると、接触物体１０７は、赤外線１０８を反射させ、
　そして接触物体１０７によって反射させられた反射赤外線１０９は、エリア光検出器１０６、例えば感光性層によって受容され、
　感光性層によって受容された光信号は、感光性層に接続されたＰＣシステム１１１に提供され、接触物体１０７の位置は分析及び処理の後に得ることができ、そして接触物体１０７の得られた位置情報は、次いで関連装置に伝送される、
　対話型ディスプレイ装置。」
２．引用文献２について
　原査定の拒絶の理由に引用された上記引用文献２の段落【００１１】、【００８９】−【０１０７】及び図１０−１５の記載からみて、当該引用文献２には、バックライト２０６から、第１期間Ｔ１においてパルス状に出射される光源光Ｌａ１を表示面２０ｓに向かって射出し、指Ｆの表面で反射された反射光Ｌｂ１をフォトダイオード２１２で検出し、指Ｆの画像部分Ｆ１を含む画像Ｐ１を生成し、バックライト２０６から、第２期間Ｔ２において出射される光源光Ｌａ２を射出し、反射光Ｌｂ２をフォトダイオード２１２で検出し、指Ｆの画像部分Ｆ２を含む画像Ｐ２を生成し、バックライト２０６から、第３期間Ｔ３において出射される光源光Ｌａ３を射出し、反射光Ｌｂ３をフォトダイオード２１２で検出し、指Ｆの画像部分Ｆ３を含む画像Ｐ３を生成し、画像Ｐ１及び画像Ｐ２の夫々の輝度データの差分値を算出することにより画像Ｐ１２を生成し、画像Ｐ１及び画像Ｐ３の夫々の輝度データの差分値を算出することにより画像Ｐ１３を生成し、画像Ｐ１２について、指Ｆの画像部分Ｆ１及びＦ２において共通する部分である画像部分Ｆ１の中心座標Ｃ１を特定し、画像Ｐ１３について、指Ｆの画像部分Ｆ１及びＦ３において共通する部分である画像部分Ｆ３の中心座標Ｃ２を特定し、中心座標Ｃ１及びＣ２の平均値を算出することによって、指Ｆの表示面２０ｓの面内における位置を特定するという技術的事項、すなわち、複数の光源光を互いに異なる特定の時間に照射し、各特定の時間毎に撮像された画像の輝度データの差分値より指の位置を特定するという技術的事項が記載されていると認められる。
３．引用文献３について
　原査定の拒絶の理由に引用された上記引用文献３の段落【００２２】−【００２３】、及び図２の記載からみて、当該引用文献３には、プラズマディスプレイ５８にカメラ７０を収納し、タッチ面６０の画像からポインタの存在を判断するという技術的事項が記載されていると認められる。
４．引用文献４について
　原査定の拒絶の理由に引用された上記引用文献４の段落【００２０】、【００６０】、及び図１の記載からみて、当該引用文献４には、筐体１０の表示部１６の上側に撮像部２０が設けられ、撮像部２０がユーザの指５０を撮像して、ユーザの指が表示されている撮像画像内の領域を特定するという技術的事項が記載されていると認められる。
５．引用文献５について
　原査定の拒絶の理由に引用された上記引用文献５の段落【０００７】の記載からみて、当該引用文献５には、液晶パネルの画像表示を休止するブランキング期間中、照明用光源を消灯状態とするとともに、位置検出用光源を点灯状態とし、位置検出部はブランキング期間における光検出器での検出結果に基づいて対象物体の位置を検出するという技術的事項が記載されていると認められる。
６．引用文献６について
　原査定で提示された上記引用文献６の段落【０００８】、【００１０】、【００２２】及び図４の記載からみて、当該引用文献６には、照明が当たった特定部位を撮像し、撮像された画像データをもとに、特定部位の領域の影の付き方から指差し動作とその位置を検出するものにおいて、指差し動作によりできる影の角度の二等分線が鋭角に向かう方向を指差し動作の方向として検出するという技術的事項が記載されていると認められる。
７．引用文献７について
　原査定で提示された上記引用文献７の段落【００２３】、【００５９】、【００６３】、【００７４】の記載からみて、当該引用文献７には、赤外線照射部１１（照射部）が、検出対象面２上における指示部の先端部を検出する第１の赤外光と、第１の赤外光より検出対象面２から離れた領域に照射される第２の赤外光とを切り替えて照射し、検出部１９は、第１の赤外光を照射することにより撮像された第１の画像及び第２の赤外光を照射することにより撮像部１５によって撮像された第２の画像に基づいて、指示部の向きを検出するものにおいて、撮像部１５が、さらに、第１の赤外光及び第２の赤外光がともに照射されない期間の画像である第３の画像を撮像し、検出部１９は、第１の画像と第３の画像との差分画像、及び第２の画像と第３の画像との差分画像に基づいて、指示部の画像領域と先端部の画像領域とを抽出し、抽出した指示部の画像領域に基づいて、指示部の向きを検出するという技術的事項が記載されていると認められる。
８．その他の文献について
　また、本願の優先日前に公開された特開２０１１−１１７７５０号公報（以下、「引用文献８」という。）の段落【００２２】、【００２３】−【００２４】、【００２６】、【００４２】−【００４４】及び図１−２の記載からみて、当該引用文献８には、タッチパネルとして利用される光学式位置検出装置１０において、光源部１１は複数の発光素子１２を備え、係る発光素子１２Ａ、１２Ｂは、Ｘ軸方向で離間する位置で発光面を透光部材４０に向けており、発光素子１２Ａ、１２Ｂは、赤外光からなる検出光を発散光として放出し、光源部１１の発光素子１２Ａ、１２Ｂが順次点灯して検出光Ｌ２ａ、Ｌ２ｂを出射すると、検出光Ｌ２ａ、Ｌ２ｂは、Ｘ軸方向で強度が変化するＸ座標検出用光強度分布（Ｘ座標検出用第１光強度分布Ｌ２ＸａおよびＸ座標検出用第２光強度分布Ｌ２Ｘｂ）を形成し、座標検出用第１光強度分布Ｌ２Ｘａ、Ｘ座標検出用第２光強度分布Ｌ２Ｘｂ、および第１光検出器３０での検出結果を利用して、透光部材４０の面内方向（Ｘ軸方向）の対象物体Ｏｂの位置（Ｘ座標）を検出することができるものであり、まず、Ｘ座標検出用第１期間において、発光素子１２Ａを点灯させる一方、発光素子１２Ｂを消灯させ、Ｘ軸方向の一方側Ｘ１から他方側Ｘ２に向かって強度が単調減少していくＸ座標検出用第１光強度分布Ｌ２Ｘａを形成し、また、Ｘ座標検出用第２期間において、発光素子１２Ａを消灯させる一方、発光素子１２Ｂを点灯させ、Ｘ軸方向の他方側Ｘ２から一方側Ｘ１に向かって強度が単調減少していくＸ座標検出用第２光強度分布Ｌ２Ｘｂを形成し、対象物体Ｏｂにより検出光Ｌ２が反射され、その反射光の一部が第１光検出器３０により検出され、Ｘ座標検出用第１期間においてＸ座標検出用第１光強度分布Ｌ２Ｘａを形成した際の第１光検出器３０での検出値ＬＸａと、Ｘ座標検出用第２期間においてＸ座標検出用第２光強度分布Ｌ２Ｘｂを形成した際の第１光検出器３０での検出値ＬＸｂとを比較し、それらの差を求め、対象物体ＯｂのＸ座標を検出するという技術的事項、すなわち、複数の発光素子を順次点灯して検出光を放出し、各発光素子の検出光毎にその反射光を検出し検出値を得、それらの差より対象物体の座標を検出するという技術事項が記載されていると認められる。
第５　対比・判断
１．本願発明１について
（１）対比
　本願発明１と引用発明とを対比する。 
ア．引用発明の「対話型ディスプレイ装置」は、「電源１１０及びコンピュータ・システム（ＰＣ）１１１もハウジング１０１内部に配置」されたものであるから、本願発明１の「コンピューティングデバイス」に相当するといえる。
　また、引用発明の「対話型ディスプレイ装置」に配置される「コンピュータ・システム（ＰＣ）１１１」がプロセッサを有することは明らかであるから、引用発明の「対話型ディスプレイ装置」に「コンピュータ・システム（ＰＣ）１１１」が配置されることは、本願発明１の「コンピューティングデバイス」が「プロセッサ」を具備することに相当する。
イ．引用発明の「ディスプレイ・パネル１０５」は、本願発明１の「コンテンツを表示するディスプレイ画面」に相当する。
ウ．引用発明の「不可視光源１０４」は、「ユーザーインターフェイス表面１０２」の下側に配置された「ディスプレイ・パネル１０５」の下側に配置された「エリア光検出器１０６」の下側に配置された「平面状導光板１０３」の側方に配置されたものであり、「不可視光源１０４、例えば赤外線源によって発せられた赤外線は、平面状導光板１０３によって反射させられ屈折させられ、そしてユーザーインターフェイス表面１０２に達し、ユーザーインターフェイス表面１０２に接触又は接近すると、接触物体１０７は、赤外線１０８を反射させ」るものであるから、「不可視光源１０４」によって発せられた赤外線は、「ディスプレイ・パネル１０５」を通過して「接触物体１０７」により反射されることは明らかであり、引用発明の「不可視光源１０４」は、本願発明１の「前記ディスプレイ画面を通して光が物体から反射されるようにする照明の源を提供するように動作可能な複数の照明源」と「前記ディスプレイ画面を通して光が物体から反射されるようにする照明の源を提供するように動作可能な照明源」である点では共通するといえる。
エ．引用発明の「エリア光検出器１０６」は、「感光性層であり、感光性層はフォトトランジスタ・アレイで」、「ディスプレイ・パネル１０５」の下側に配置されたものであり、「接触物体１０７によって反射させられた反射赤外線１０９は、エリア光検出器１０６、例えば感光性層によって受容され」るものであるから、「接触物体１０７によって反射させられた反射赤外線１０９」が「ディスプレイ・パネル１０５」を通過して「エリア光検出器１０６」の「フォトトランジスタ・アレイ」で検出されることは明らかであり、引用発明の「エリア光検出器１０６」は、本願発明１の「前記物体によって反射され前記ディスプレイ画面を通過する光を検出するように各々が構成されている複数の検出器を含む検出器アレイ」に相当する。
オ．引用発明の「対話型ディスプレイ装置」に配置される「コンピュータ・システム（ＰＣ）１１１」が命令を含むメモリを有することは明らかであるから、引用発明の「対話型ディスプレイ装置」に「コンピュータ・システム（ＰＣ）１１１」が配置されることは、本願発明１の「コンピューティングデバイス」が「命令を含むメモリ」を具備することに相当する。
カ．引用発明が「エリア光検出器１０６」である「感光性層によって受容された光信号は、感光性層に接続されたＰＣシステム１１１に提供され、接触物体１０７の位置は分析及び処理の後に得ることができ」るものであることは、本願発明１が「前記命令は、前記プロセッサによって実行されるときに、前記コンピューティングデバイスに、」「前記コンピューティングデバイスに関する前記物体の位置を決定するために、前記検出器アレイによって検出される前記光に対するデータを分析させ」るものであることに相当する。
キ．引用発明が「接触物体１０７によって反射させられた反射赤外線１０９は、エリア光検出器１０６、例えば感光性層によって受容され、感光性層によって受容された光信号は、感光性層に接続されたＰＣシステム１１１に提供され」るものであることは、本願発明１が「前記特定の時間の各々に対して前記検出器アレイによって取り込まれる輝度データであって、前記複数の照明源のうちの少なくとも１つによって放射され前記物体によって反射された光に対する輝度データを含む前記輝度データを収集させ」るものであることと、「前記検出器アレイによって取り込まれる輝度データであって、前記照明源によって放射され前記物体によって反射された光に対する輝度データを含む前記輝度データを収集させ」るものである点で共通するといえる。
　したがって、両者は以下の一致点と相違点とを有する。 
　
〈一致点〉
「コンピューティングデバイスにおいて、
　プロセッサと、
　コンテンツを表示するディスプレイ画面と、
　前記ディスプレイ画面を通して光が物体から反射されるようにする照明の源を提供するように動作可能な照明源と、
　前記物体によって反射され前記ディスプレイ画面を通過する光を検出するように各々が構成されている複数の検出器を含む検出器アレイと、
　命令を含むメモリとを具備し、
　前記命令は、前記プロセッサによって実行されるときに、前記コンピューティングデバイスに、
　前記コンピューティングデバイスに関する前記物体の位置を決定するために、前記検出器アレイによって検出される前記光に対するデータを分析させ、
　前記検出器アレイによって取り込まれる輝度データであって、前記照明源によって放射され前記物体によって反射された光に対する輝度データを含む前記輝度データを収集させるコンピューティングデバイス。」
〈相違点〉
　本願発明１は、「複数の照明源」を備えるものであり、
「異なる特定の時間に異なる方向から光を放射するように、前記物体の場所の決定のために用いられる前記複数の照明源のそれぞれを順に起動させ」、
「前記特定の時間の各々に対して前記検出器アレイによって取り込まれる輝度データであって、前記複数の照明源のうちの少なくとも１つによって放射され前記物体によって反射された光に対する輝度データを含む前記輝度データを収集させ、
　前記輝度データは、他の部分の輝度レベルより高い輝度レベルを有する部分を含み、前記特定の時間の各々に対する前記輝度データを含む統合データセットであって、前記検出器アレイ中の検出器の各々に対する少なくとも統合輝度情報を含む前記統合データセットを発生させ、
　前記輝度データの前記部分と、前記輝度データの前記他の部分のうちの少なくとも１つとに少なくとも基づいて、前記物体の形状または深度の情報を決定させ、
　前記物体の形状または深度の情報に少なくとも基づいて、前記コンピューティングデバイスに関する前記物体の配向を決定させる」
ものであるのに対し、引用発明はそのような構成を有するものではない点。
（２）相違点についての判断
　引用文献２には、複数の光源光を互いに異なる特定の時間に照射し、各特定の時間毎に撮像された画像の輝度データの差分値より指の位置を特定するという技術的事項が記載され、引用文献８には、複数の発光素子を順次点灯して検出光を放出し、各発光素子の検出光毎にその反射光を検出し検出値を得、それらの差より対象物体の座標を検出するという技術事項が記載されているものの、これらの各文献に記載された技術的事項は、「複数の照明源」が「異なる方向から光を放射」し、「放射され前記物体によって反射された光に対する輝度データを含む前記輝度データを収集させ」、「前記輝度データは、他の部分の輝度レベルより高い輝度レベルを有する部分を含み、前記特定の時間の各々に対する前記輝度データを含む統合データセットを発生させ、前記輝度データの前記部分と、前記輝度データの前記他の部分のうちの少なくとも１つとに少なくとも基づいて、前記物体の形状または深度の情報を決定させ、前記物体の形状または深度の情報に少なくとも基づいて、前記コンピューティングデバイスに関する前記物体の配向を決定させる」るものではない。
　また、引用文献６、引用文献７に記載された技術的事項は、検出対象物の向きを検出するものではあるものの、「複数の照明源」が「異なる方向から光を放射」し、「放射され前記物体によって反射された光に対する輝度データを含む前記輝度データを収集させ」、「前記輝度データは、他の部分の輝度レベルより高い輝度レベルを有する部分を含み、前記特定の時間の各々に対する前記輝度データを含む統合データセットを発生」させるものではない。
　さらに、上記相違点に係る本願発明１の構成は、引用文献３−５にも記載されておらず、本願の優先日前において周知技術であるともいえない。
　したがって本願発明１は、当業者であっても引用発明、引用文献２−８に記載された技術的事項に基づいて容易に発明できたものであるとはいえない。
２．請求項２−１１について
　本願発明２−１１は、本願発明１を引用して限定するものであり、上記「１．請求項１について」にて述べたのと同様の理由により、引用発明及び引用文献２−８に記載された技術的事項に基づいて容易に発明できたものであるとはいえない。
３．請求項１２について
　本願発明１２は、本願発明１を実質的に方法として記載したものであり、上記「１．請求項１について」にて述べたのと同様の理由により、引用発明及び引用文献２−８に記載された技術的事項に基づいて容易に発明できたものであるとはいえない。
４．請求項１３−１５について
　本願発明１３−１５は、本願発明１２を引用して限定するものであり、上記「３．請求項１２について」にて述べたのと同様の理由により、引用発明及び引用文献２−８に記載された技術的事項に基づいて容易に発明できたものであるとはいえない。
第６　原査定について
　相違点に係る本願発明１の構成に関連して、原査定においては、照明源を複数の照明源とすることは設計事項にすぎず、また、光を反射させた物体の形状または深度の情報に基づいて物体の配向を決定することは引用文献６−７に示すように周知の技術である旨認定している。
　しかしながら、上記「１．請求項１について」の「（２）相違点についての判断」に述べたように、引用文献６−７に記載された技術的事項は、「複数の照明源」が「異なる方向から光を放射」し、「他の部分の輝度レベルより高い輝度レベルを有する部分を含み、前記特定の時間の各々に対する前記輝度データを含む統合データセットを発生」させるものではなく、また、そのようなデータセットを発生することが、本願の優先日前周知の技術であるともいえないから、本願発明は、引用発明及び引用文献２−７に記載された技術的事項に基づいて容易に発明できたものであるとはいえない。
　したがって、原査定の理由を維持することはできない。
第７　むすび
　以上のとおり、本願発明１−１５は、当業者が引用発明及び引用文献２−８に記載された技術的事項に基づいて容易に発明することができたものではない。
　したがって、原査定の理由によっては、本願を拒絶することはできない。
　また、他に本願を拒絶すべき理由を発見しない。
　よって、結論のとおり審決する。